【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のユーザ機器（ＵＥ）において、２つまたはそれ以上のＵＥを対象とするポイントツーマルチポイント（ＰＴＭ）送信の第１のセットのためにワイヤレスリソースの第１のセットを割り振る第１の制御チャネル送信と、前記第１のＵＥを対象とするユニキャスト送信の第２のセットのためにワイヤレスリソースの第２のセットを割り振る第２の制御チャネル送信とを受信することと、
ＰＴＭ送信の前記第１のセットの受信のための第１の送信時間間隔（ＴＴＩ）持続時間と、前記第１のＵＥを対象とするユニキャスト送信の前記第２のセットの受信のための第２のＴＴＩ持続時間とを識別することと、ここにおいて、前記第２のＴＴＩ持続時間が前記第１のＴＴＩ持続時間よりも長く、
前記第１の制御チャネル送信の受信に少なくとも部分的に基づいて、ＰＴＭ送信の前記第１のセットが前記第１のＵＥにおいて受信されるべきであると決定することと、
前記決定することに応答して、ワイヤレスリソースの前記第１のセットを使用して、ＰＴＭ送信の前記第１のセットを受信することと、ここにおいて、ワイヤレスリソースの前記第１のセットが前記第１のＴＴＩ持続時間を用いて構成される、
を備える、方法。
【請求項２】
前記第１の制御チャネル送信が、送信の前記第１のセットのためのスケジューリング情報または後続の制御チャネル送信を監視するための監視持続時間のうちの１つまたは複数を備える、請求項１に記載の方法。
【請求項３】
送信の前記第１のセットが、ワイヤレスリソースの前記第１のセットによって識別されるトラフィックチャネルを介して受信され、前記トラフィックチャネルが、送信の前記第２のセットのために使用される物理ダウンリンク共有チャネル（ＰＤＳＣＨ）の一部分を備える、請求項１に記載の方法。
【請求項４】
前記第１のＴＴＩ持続時間と前記第２のＴＴＩ持続時間とを識別することは、
前記第２のＴＴＩ持続時間が無線フレームのサブフレームの持続時間に対応し、前記第１のＴＴＩ持続時間が前記サブフレームの前記持続時間の一部分に対応すると決定すること、ここにおいて、前記サブフレームの前記持続時間が、２つまたはそれ以上の直交周波数分割多重（ＯＦＤＭ）シンボル期間を備え、ここにおいて、前記第１のＴＴＩ持続時間が、前記ＯＦＤＭシンボル期間のうちの１つまたは複数に対応し、ここにおいて、前記サブフレームの前記持続時間が、前記第１のＴＴＩ持続時間を有する第１のＴＴＩのセットを備え、ここにおいて、送信の前記第１のセットが、異なるサブフレーム内の同じ第１のＴＴＩロケーションにおいて送信される、
を備える、請求項１に記載の方法。
【請求項５】
前記第１のＵＥが、第１のグループ識別情報を有し、送信の前記第１のセットが前記第１のＵＥによって受信されるべきであると決定することが、前記第１のグループ識別情報と送信の前記第１のセットに関連するグループインジケーションとに少なくとも部分的に基づき、前記第１のグループ識別情報が、第１のブロードキャストサービスに関連し、ここにおいて、前記方法は、
第２のサービスに関連する前記第１のＵＥの第２のグループ識別情報を識別することと、
前記第２のグループ識別情報と、２つまたはそれ以上のＵＥを対象とし、前記第２のサービスに関連する送信の第３のセットに関連する第２のグループインジケーションとに少なくとも部分的に基づいて、送信の前記第３のセットが、前記第１のＵＥにおいて受信されるべきであると決定することと
をさらに備える、請求項１に記載の方法。
【請求項６】
送信の前記第３のセットが、前記第１のＴＴＩ持続時間を使用し、ここにおいて、前記方法が、
前記第１のＴＴＩ持続時間を用いて構成されるワイヤレスリソースのセットを使用して送信の前記第３のセットを受信すること、ここにおいて、送信の前記第１のセットが、１つまたは複数のサブフレームの第１のスロットにおいて送信され、送信の前記第３のセットが、前記１つまたは複数のサブフレームの第２のスロットにおいて送信され、前記１つまたは複数のサブフレームの前記第１のスロットと、より多くのサブフレームのうちの前記１つの前記第２のスロットとが、前記第１のＴＴＩ持続時間を有する、
をさらに備える、請求項５に記載の方法。
【請求項７】
前記第１のＵＥにおいて、送信の前記第３のセットを受信するための第３のＴＴＩ持続時間を識別することと、
前記第３のＴＴＩ持続時間を用いて構成されるワイヤレスリソースのセットを使用して送信の前記第３のセットを受信することと
をさらに備える、請求項５に記載の方法。
【請求項８】
前記第１の制御チャネル送信が前記第１のＴＴＩ持続時間を示す、請求項１に記載の方法。
【請求項９】
前記第１のＴＴＩ持続時間の前記インジケーションが、送信の前記第１のセットを含むダウンリンクワイヤレスリソースのインジケーションにおいて動的に受信される、請求項８に記載の方法。
【請求項１０】
前記第１のＴＴＩ持続時間の前記インジケーションが、送信の前記第１のセットに関連する１つまたは複数のパラメータを構成するシステム情報ブロック（ＳＩＢ）において半静的に受信される、請求項８に記載の方法。
【請求項１１】
前記第１のＴＴＩ持続時間が、前記第１のＵＥに送信されるユニキャスト送信のセットを受信するための低レイテンシＴＴＩの持続時間と対応する、請求項１に記載の方法。
【請求項１２】
１つまたは複数の第１のＴＴＩ間欠受信（ＤＲＸ）パラメータを１つまたは複数の第２のＴＴＩ  ＤＲＸパラメータとは別々に構成すること
をさらに備える、請求項１に記載の方法。
【請求項１３】
前記構成することは、
送信の前記第１のセットが前記第１のＵＥにおいて受信されるべきであると決定されるとき、ＤＲＸを中止すること、
送信の前記第１のセットのトラフィックタイプに少なくとも部分的に基づいて、前記１つまたは複数の第１のＴＴＩ  ＤＲＸパラメータを設定すること、または
前記第２のＴＴＩ持続時間に基づいて第１のＴＴＩ  ＤＲＸ周期性またはオフセットを設定することおよび前記第１のＴＴＩ持続時間に基づいて第１のＴＴＩ  ＤＲＸオン持続時間を設定すること
のうちの１つまたは複数を備える、請求項１２に記載の方法。
【請求項１４】
ワイヤレス通信のための装置であって、
第１のユーザ機器（ＵＥ）において、２つまたはそれ以上のＵＥを対象とするポイントツーマルチポイント（ＰＴＭ）送信の第１のセットのためにワイヤレスリソースの第１のセットを割り振る第１の制御チャネル送信と、前記第１のＵＥを対象とするユニキャスト送信の第２のセットのためにワイヤレスリソースの第２のセットを割り振る第２の制御チャネル送信とを受信するための手段と、
ＰＴＭ送信の前記第１のセットの受信のための第１の送信時間間隔（ＴＴＩ）持続時間と、前記第１のＵＥを対象とするユニキャスト送信の前記第２のセットの受信のための第２のＴＴＩ持続時間とを識別するための手段と、ここにおいて、前記第２のＴＴＩ持続時間が前記第１のＴＴＩ持続時間よりも長く、
前記第１の制御チャネル送信の受信に少なくとも部分的に基づいて、ＰＴＭ送信の前記第１のセットが前記第１のＵＥにおいて受信されるべきであると決定するための手段と、
前記決定することに応答して、ワイヤレスリソースの前記第１のセットを使用して、ＰＴＭ送信の前記第１のセットを受信するための手段と、ここにおいて、ワイヤレスリソースの前記第１のセットが前記第１のＴＴＩ持続時間を用いて構成される、
を備える、装置。
【請求項１５】
ワイヤレス通信のためのコードを記憶する非一時的なコンピュータ可読媒体であって、前記コードは、
第１のユーザ機器（ＵＥ）において、２つまたはそれ以上のＵＥを対象とするポイントツーマルチポイント（ＰＴＭ）送信の第１のセットのためにワイヤレスリソースの第１のセットを割り振る第１の制御チャネル送信と、前記第１のＵＥを対象とするユニキャスト送信の第２のセットのためにワイヤレスリソースの第２のセットを割り振る第２の制御チャネル送信とを受信することと、
ＰＴＭ送信の前記第１のセットの受信のための第１の送信時間間隔（ＴＴＩ）持続時間と、前記第１のＵＥを対象とするユニキャスト送信の前記第２のセットの受信のための第２のＴＴＩ持続時間とを識別することと、ここにおいて、前記第２のＴＴＩ持続時間が前記第１のＴＴＩ持続時間よりも長く、
前記第１の制御チャネル送信の受信に少なくとも部分的に基づいて、ＰＴＭ送信の前記第１のセットが前記第１のＵＥにおいて受信されるべきであると決定することと、
前記決定することに応答して、ワイヤレスリソースの前記第１のセットを使用して、ＰＴＭ送信の前記第１のセットを受信することと、ここにおいて、ワイヤレスリソースの前記第１のセットが前記第１のＴＴＩ持続時間を用いて構成される、
を行うために実行可能な命令を備える、非一時的なコンピュータ可読媒体。
【手続補正２】
【補正対象書類名】明細書
【補正対象項目名】０２１８
【補正方法】変更
【補正の内容】
【０２１８】
[00231]当業者に知られている、または後に知られることになる、本開示全体にわたって説明される様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］  ワイヤレス通信のための方法であって、
第１のユーザ機器（ＵＥ）において、２つまたはそれ以上のＵＥを対象とする送信の第１のセットのためにワイヤレスリソースの第１のセットを割り振る第１の制御チャネル送信と、前記第１のＵＥを対象とする送信の第２のセットのためにワイヤレスリソースの第２のセットを割り振る第２の制御チャネル送信とを受信することと、
送信の前記第１のセットの受信のための第１の送信時間間隔（ＴＴＩ）持続時間と、前記第１のＵＥを対象とする送信の前記第２のセットの受信のための第２のＴＴＩ持続時間とを識別することと、ここにおいて、前記第２のＴＴＩ持続時間が前記第１のＴＴＩ持続時間よりも長く、
前記第１の制御チャネル送信の受信に少なくとも部分的に基づいて、送信の前記第１のセットが前記第１のＵＥにおいて受信されるべきであると決定することと、
前記決定することに応答して、ワイヤレスリソースの前記第１のセットを使用して、送信の前記第１のセットを受信することと、ここにおいて、ワイヤレスリソースの前記第１のセットが前記第１のＴＴＩ持続時間を用いて構成され、
を備える、方法。
［Ｃ２］  前記第１の制御チャネル送信が、送信の前記第１のセットのためのスケジューリング情報または後続の制御チャネル送信を監視するための監視持続時間のうちの１つまたは複数を備える、Ｃ１に記載の方法。
［Ｃ３］  送信の前記第１のセットが、ワイヤレスリソースの前記第１のセットによって識別されるトラフィックチャネルを介して受信される、Ｃ１に記載の方法。
［Ｃ４］  前記トラフィックチャネルが、送信の前記第２のセットのために使用される物理ダウンリンク共有チャネル（ＰＤＳＣＨ）の一部分を備える、Ｃ３に記載の方法。
［Ｃ５］  前記第１のＴＴＩ持続時間と前記第２のＴＴＩ持続時間とを識別することは、
前記第２のＴＴＩ持続時間が無線フレームのサブフレームの持続時間に対応し、前記第１のＴＴＩ持続時間が前記サブフレームの前記持続時間の一部分に対応すると決定すること
を備える、Ｃ１に記載の方法。
［Ｃ６］  前記サブフレームの前記持続時間が、２つまたはそれ以上の直交周波数分割多重（ＯＦＤＭ）シンボル期間を備え、ここにおいて、前記第１のＴＴＩ持続時間が、前記ＯＦＤＭシンボル期間のうちの１つまたは複数に対応する、Ｃ５に記載の方法。
［Ｃ７］  前記サブフレームの前記持続時間が、前記第１のＴＴＩ持続時間を有する第１のＴＴＩのセットを備え、ここにおいて、送信の前記第１のセットが、異なるサブフレーム内の同じ第１のＴＴＩロケーションにおいて送信される、Ｃ６に記載の方法。
［Ｃ８］  前記第１のＵＥが、第１のグループ識別情報を有し、ここにおいて、送信の前記第１のセットが前記第１のＵＥによって受信されるべきであると決定することが、前記第１のグループ識別情報と送信の前記第１のセットに関連するグループインジケーションとに少なくとも部分的に基づく、Ｃ１に記載の方法。
［Ｃ９］  前記第１のグループ識別情報が、第１のブロードキャストサービスに関連し、ここにおいて、前記方法は、
第２のサービスに関連する前記第１のＵＥの第２のグループ識別情報を識別することと、
前記第２のグループ識別情報と、２つまたはそれ以上のＵＥを対象とし、前記第２のサービスに関連する送信の第３のセットに関連する第２のグループインジケーションとに少なくとも部分的に基づいて、送信の前記第３のセットが、前記第１のＵＥにおいて受信されるべきであると決定することと
をさらに備える、Ｃ８に記載の方法。
［Ｃ１０］  送信の前記第３のセットが、前記第１のＴＴＩ持続時間を使用し、ここにおいて、前記方法が、
前記第１のＴＴＩ持続時間を用いて構成されるワイヤレスリソースのセットを使用して送信の前記第３のセットを受信すること
をさらに備える、Ｃ９に記載の方法。
［Ｃ１１］  送信の前記第１のセットが、１つまたは複数のサブフレームの第１のスロットにおいて送信され、送信の前記第３のセットが、前記１つまたは複数のサブフレームの第２のスロットにおいて送信され、前記１つまたは複数のサブフレームの前記第１のスロットと、より多くのサブフレームのうちの前記１つの前記第２のスロットとが、前記第１のＴＴＩ持続時間を有する、Ｃ１０に記載の方法。
［Ｃ１２］  前記第１のＵＥにおいて、送信の前記第３のセットを受信するための第３のＴＴＩ持続時間を識別することと、
前記第３のＴＴＩ持続時間を用いて構成されるワイヤレスリソースのセットを使用して送信の前記第３のセットを受信することと
をさらに備える、Ｃ９に記載の方法。
［Ｃ１３］  前記第１の制御チャネル送信が前記第１のＴＴＩ持続時間を示す、Ｃ１に記載の方法。
［Ｃ１４］  前記第１のＴＴＩ持続時間の前記インジケーションが、送信の前記第１のセットを含むダウンリンクワイヤレスリソースのインジケーションにおいて動的に受信される、Ｃ１３に記載の方法。
［Ｃ１５］  前記第１のＴＴＩ持続時間の前記インジケーションが、送信の前記第１のセットに関連する１つまたは複数のパラメータを構成するシステム情報ブロック（ＳＩＢ）において半静的に受信される、Ｃ１３に記載の方法。
［Ｃ１６］  前記第１のＴＴＩ持続時間が、前記第１のＵＥに送信されるユニキャスト送信のセットを受信するための低レイテンシＴＴＩの持続時間と対応する、Ｃ１に記載の方法。
［Ｃ１７］  １つまたは複数の第１のＴＴＩ間欠受信（ＤＲＸ）パラメータを１つまたは複数の第２のＴＴＩ  ＤＲＸパラメータとは別々に構成すること
をさらに備える、Ｃ１に記載の方法。
［Ｃ１８］  前記構成することは、
送信の前記第１のセットが前記第１のＵＥにおいて受信されるべきであると決定されるとき、ＤＲＸを中止すること、
送信の前記第１のセットのトラフィックタイプに少なくとも部分的に基づいて、前記１つまたは複数の第１のＴＴＩ  ＤＲＸパラメータを設定すること、または
前記第２のＴＴＩ持続時間に基づいて第１のＴＴＩ  ＤＲＸ周期性またはオフセットを設定することおよび前記第１のＴＴＩ持続時間に基づいて第１のＴＴＩ  ＤＲＸオン持続時間を設定すること
のうちの１つまたは複数を備える、Ｃ１７に記載の方法。
［Ｃ１９］  ワイヤレス通信のための装置であって、
第１のユーザ機器（ＵＥ）において、２つまたはそれ以上のＵＥを対象とする送信の第１のセットのためにワイヤレスリソースの第１のセットを割り振る第１の制御チャネル送信と、前記第１のＵＥを対象とする送信の第２のセットのためにワイヤレスリソースの第２のセットを割り振る第２の制御チャネル送信とを受信するための手段と、
送信の前記第１のセットの受信のための第１の送信時間間隔（ＴＴＩ）持続時間と、前記第１のＵＥを対象とする送信の前記第２のセットの受信のための第２のＴＴＩ持続時間とを識別するための手段と、ここにおいて、前記第２のＴＴＩ持続時間が前記第１のＴＴＩ持続時間よりも長く、
前記第１の制御チャネル送信の受信に少なくとも部分的に基づいて、送信の前記第１のセットが前記第１のＵＥにおいて受信されるべきであると決定するための手段と、
前記決定することに応答して、ワイヤレスリソースの前記第１のセットを使用して、送信の前記第１のセットを受信するための手段と、ここにおいて、ワイヤレスリソースの前記第１のセットが前記第１のＴＴＩ持続時間を用いて構成され、
を備える、装置。
［Ｃ２０］  前記第１の制御チャネル送信が、送信の前記第１のセットのためのスケジューリング情報または後続の制御チャネル送信を監視するための監視持続時間のうちの１つまたは複数を備える、Ｃ１９に記載の装置。
［Ｃ２１］  送信の前記第１のセットが、ワイヤレスリソースの前記第１のセットによって識別されるトラフィックチャネルを介して受信される、Ｃ１９に記載の装置。
［Ｃ２２］  前記トラフィックチャネルが、送信の前記第２のセットのために使用される物理ダウンリンク共有チャネル（ＰＤＳＣＨ）の一部分を備える、Ｃ２１に記載の装置。
［Ｃ２３］  前記第１のＴＴＩ持続時間と前記第２のＴＴＩ持続時間とを識別するための前記手段は、
前記第２のＴＴＩ持続時間が無線フレームのサブフレームの持続時間に対応し、前記第１のＴＴＩ持続時間が前記サブフレームの前記持続時間の一部分に対応すると決定するための手段
を備える、Ｃ１９に記載の装置。
［Ｃ２４］  前記第１のＵＥが、第１のグループ識別情報を有し、ここにおいて、送信の前記第１のセットが前記第１のＵＥにおいて受信されるべきであると決定するための前記手段が、前記第１のグループ識別情報と送信の前記第１のセットに関連するグループインジケーションとに少なくとも部分的に基づいて動作可能である、Ｃ１９に記載の装置。
［Ｃ２５］  前記第１のグループ識別情報が、第１のブロードキャストサービスに関連し、前記装置は、
第２のサービスに関連する前記第１のＵＥの第２のグループ識別情報を識別するための手段と、
前記第２のグループ識別情報と、２つまたはそれ以上のＵＥを対象とし、前記第２のサービスに関連する送信の第３のセットに関連する第２のグループインジケーションとに少なくとも部分的に基づいて、送信の前記第３のセットが、前記第１のＵＥにおいて受信されるべきであると決定するための手段と
をさらに備える、Ｃ２４に記載の装置。
［Ｃ２６］  前記第１の制御チャネル送信が前記第１のＴＴＩ持続時間を示す、Ｃ１９に記載の装置。
［Ｃ２７］  前記第１のＴＴＩ持続時間が、前記第１のＵＥに送信されるユニキャスト送信のセットを受信するための低レイテンシＴＴＩの持続時間と対応する、Ｃ１９に記載の装置。
［Ｃ２８］  １つまたは複数の第１のＴＴＩ間欠受信（ＤＲＸ）パラメータを１つまたは複数の第２のＴＴＩ  ＤＲＸパラメータとは別々に構成するための手段
をさらに備える、Ｃ１９に記載の装置。
［Ｃ２９］  ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
第１のユーザ機器（ＵＥ）において、２つまたはそれ以上のＵＥを対象とする送信の第１のセットのためにワイヤレスリソースの第１のセットを割り振る第１の制御チャネル送信と、前記第１のＵＥを対象とする送信の第２のセットのためにワイヤレスリソースの第２のセットを割り振る第２の制御チャネル送信とを受信することと、
送信の前記第１のセットの受信のための第１の送信時間間隔（ＴＴＩ）持続時間と、前記第１のＵＥを対象とする送信の前記第２のセットの受信のための第２のＴＴＩ持続時間とを識別することと、ここにおいて、前記第２のＴＴＩ持続時間が前記第１のＴＴＩ持続時間よりも長く、
前記第１の制御チャネル送信の受信に少なくとも部分的に基づいて、送信の前記第１のセットが前記第１のＵＥにおいて受信されるべきであると決定することと、
前記決定することに応答して、ワイヤレスリソースの前記第１のセットを使用して、送信の前記第１のセットを受信することと、ここにおいて、ワイヤレスリソースの前記第１のセットが前記第１のＴＴＩ持続時間を用いて構成され、
を行わせるように動作可能である、装置。
［Ｃ３０］  ワイヤレス通信のためのコードを記憶する非一時的コンピュータ可読媒体であって、前記コードは、
第１のユーザ機器（ＵＥ）において、２つまたはそれ以上のＵＥを対象とする送信の第１のセットのためにワイヤレスリソースの第１のセットを割り振る第１の制御チャネル送信と、前記第１のＵＥを対象とする送信の第２のセットのためにワイヤレスリソースの第２のセットを割り振る第２の制御チャネル送信とを受信することと、
送信の前記第１のセットの受信のための第１の送信時間間隔（ＴＴＩ）持続時間と、前記第１のＵＥを対象とする送信の前記第２のセットの受信のための第２のＴＴＩ持続時間とを識別することと、ここにおいて、前記第２のＴＴＩ持続時間が前記第１のＴＴＩ持続時間よりも長く、
前記第１の制御チャネル送信の受信に少なくとも部分的に基づいて、送信の前記第１のセットが前記第１のＵＥにおいて受信されるべきであると決定することと、
前記決定することに応答して、ワイヤレスリソースの前記第１のセットを使用して、送信の前記第１のセットを受信することと、ここにおいて、ワイヤレスリソースの前記第１のセットが前記第１のＴＴＩ持続時間を用いて構成され、
を行うために実行可能な命令を備える、非一時的コンピュータ可読媒体。